(57)【特許請求の範囲】
【請求項１】
陰唇間パッドの身体への使用方法を示す模型であって、
前記模型は、球体状であり、前記球体状の一部が前記陰唇間パッドの装着される女性外性器を模した形状となっており、
前記陰唇間パッドの少なくとも一部が介在可能な開口幅を有する窪み部を備え、
前記窪み部における窪みの最も深い部分には、前記窪み部の形状に倣うように前記窪み部に挿入された前記陰唇間パッドを固定するための固定要素が備えられている模型。
【請求項２】
陰唇間パッドの身体への着脱を擬似体験することができる模型であって、
前記模型は、球体状であり、前記球体状の一部が前記陰唇間パッドの装着される女性外性器を模した形状となっており、
前記陰唇間パッドの一部または全部の着脱が可能なスリット部を備え、
前記スリット部におけるスリットの最も深い部分には、前記スリット部の形状に倣うように前記スリット部に挿入された前記陰唇間パッドを固定するための固定要素が備えられている模型。
【請求項３】
前記模型は、反発弾力性を有する部材からなるものであると共に、大陰唇の形状を模式した一対の襞を備えるものであり、
前記スリット部は前記一対の襞の間の谷間からなるものであって、
前記陰唇間パッドの一部または全部を前記谷間内に装着した場合には、前記一対の襞の反発弾力により前記陰唇間パッドを挟み込んで、前記一対の襞が前記陰唇間パッドを装着した状態を維持するものである請求項２記載の模型。
【請求項４】
前記スリット部の近傍には、前記指の適正な配置を指示する案内要素を具備するものである請求項２または３記載の模型。
【請求項５】
前記陰唇間パッドは、着用者の指の挿入が可能な指挿入部を有しており、当該指挿入部に指を挿入して前記陰唇間パッドを前記スリット部に装着した場合には、前記スリット部の谷間の深さが、前記指挿入部内の指の厚みよりも深いものである請求項２から４いずれか記載の模型。
【請求項６】
前記模型は、前記模型の表面の所定の部位から前記スリット部に向かって、液体を流入することができる液通過手段を備えるものである請求項２から５いずれか記載の模型。
【請求項７】
前記模型は、女性の下腹部から大腿部までを模した身体模型の一部となっているものである請求項２から６いずれか記載の模型。
【請求項８】
前記模型は、前記身体模型から着脱可能となっている請求項７記載の模型。
【請求項９】
前記模型及び身体模型は、透視可能な程度の透明度を有するものである請求項７または８記載の模型。
【請求項１０】
前記模型及び身体模型は、経血の流れを示す経血経路表示手段を備えるものである請求項７から９いずれか記載の模型。
【請求項１１】
前記経血経路表示手段は、液体流入または光の投影によりなるものである請求項１０記載の模型。
【請求項１２】
請求項６に記載の模型と、該模型に装着される陰唇間パッドと、液体が入った容器と、該液体を注ぐ液注入具と、をセットで備える説明用具。
【発明の詳細な説明】
【技術分野】
【０００１】
本発明は、模型およびこの模型を用いた説明用具に関し、特に店頭で陰唇間パッドの使用方法を疑似体験することができる模型およびこの模型を用いた説明用具に関する。
【背景技術】
【０００２】
従来より、商品の販売の際に、商品を展示し、その機能や特徴を強調することによって消費者の購入意欲を刺激する販売促進ツールが使用されている。生理用品においても、その性能や特徴をより対象者に理解させることを目的として、説明書等の文字伝達による以外に、例えば特許文献１のような販売促進ツールが用いられるようになっている。
【０００３】
この特許文献１に記載の販売促進ツールは、生理用ナプキン等の生理用品を象った容器に生理用品を収納したもので、その容器は上側の生理用品を収容している状態で生理用品が着用者に接触する面をカバーする部分を透明とし、容器の上側の透明部分を縦方向にも横方向にも凹んだ湾曲とし、かつその表面形状を生理用ナプキンの表面形状の凹凸に忠実に追従させたものとしている。また、透明容器の身体接触面側に開孔部を設けて、生理用品の感触を確かめることを可能としている。そのため、生理用品の特徴を消費者に強調でき、店頭で理解させ易いものとなっている。
【特許文献１】特開２００３−８１３３３号公報
【発明の開示】
【発明が解決しようとする課題】
【０００４】
しかしながら、上記の販売促進ツールは、製品単独でのパッキングであるため、実際に生理用品を装着した時、生理用品が身体のどの位置にどのように密着するのかが分かり難い。特に、生理用ナプキンとは異なり、陰裂に直接挟み込んで使用する陰唇間パッドの場合には、このような身体との関係が示さない模型では、陰唇間パッドの正しい使用方法を認知させることができない。このため、陰唇間パッドのような陰裂に直接挟み込んで使用する生理用品についての使用方法を正しく認知させることができるものが求められている。
【０００５】
本発明は、以上のような課題に鑑みてなされたものであり、その目的は、陰唇間パッドの使用方法が明らかとなるように、身体のどの位置にどのように着用するかを容易に理解でき、更に、経血の流れ方がどのようになるかを容易に示すことができる模型およびこの模型を用いた説明用具を提供することを目的とすることにある。
【課題を解決するための手段】
【０００６】
以上のような目的を達成するために、本発明においては、生理用品のディスプレイ等に用いられる模型として、陰唇間パッドの着脱自在とした女性外性器を模したものとすることで、陰唇間パッドの使用を擬似体験可能とし、更には、陰唇間パッドを装着した状態における経血の流れを視認可能にしたことを特徴とするものである。
【０００７】
本発明は具体的に以下のようなものを提供する。
【０００８】
（１）  陰唇間パッドの身体への使用方法を示す模型であって、前記模型は、前記陰唇間パッドが装着される女性外性器を模しており、前記陰唇間パッドの少なくとも一部が介在できる程度の大きさの開口幅を有する窪み部を備える模型。
【０００９】
本発明によれば、模型は女性外性器を模したものであって、陰唇間パッドの少なくとも一部が介在できる程度の大きさの開口幅を有する窪み部を備えているので、この窪み部に陰唇間パッドを介在させることによって、陰唇間パッドは、生理用ナプキンのようにショーツに貼り付け、ショーツを引き上げることにより肌に当てて使用するものではなく、陰裂に直接挟み込んで使用するものであることを未経験者に認知させることができる。これにより、陰唇間パッドとは身体に装着して使用するものだと未経験者に認知されるため、陰唇間パッドを生理用ナプキンの上に置いて着用するなどの誤使用を未然に防ぐことができる。
【００１０】
（２）  前記窪み部には、陰唇間パッドを所定の位置に固定するための固定要素が備えられている（１）記載の模型。
【００１１】
本発明によれば、陰唇間パッドを模型の窪み部に介在された状態で固定できる。このような状態のままでディスプレイできることで、陰唇間パッドは陰裂に直接当てて使用するものであることをいつでも視認させることができる。尚、固定要素とは、陰唇間パッドを模型の窪み部に保持するために窪み部に設けられるもので、摩擦抵抗の高い素材、具体的にはエラストマー特性が得られるようなゴム成分、アンチスリップ剤、接着剤、あるいは摩擦抵抗の高い構造、具体的にはマジックテープのフック構造などが例示される。また、その位置は、陰唇の前庭床に該当する最も深い部分であるのが好ましい。
【００１２】
（３）  陰唇間パッドの身体への着脱を擬似体験することができる模型であって、前記模型は、前記陰唇間パッドが装着される女性外性器を模しており、前記陰唇間パッドの一部または全部の着脱が可能なスリット部を備える模型。
【００１３】
本発明によれば、細長い切れ目であるスリット部が陰裂を模したものであり、このスリット部に陰唇間パッドを挟み込むことにより、陰唇間パッドは生理用ナプキンのように肌に当てて使用するのではなく、陰裂に狭持させて使用するものであるということを未経験者に認知させることができる。
【００１４】
（４）  前記模型は大陰唇の形状を模式した一対の襞を備えるものであり、前記スリット部は前記一対の襞の間の谷間からなるものであって、前記陰唇間パッドの一部または全部を前記谷間内に装着した場合には、前記一対の襞が前記陰唇間パッドを装着した状態で保持することが可能な程度の保持力を有するものである（３）記載の模型。
【００１５】
本発明によれば、一対の襞の間の谷間からなるスリット部は陰裂を模したものであり、このスリット部に陰唇間パッドを装着することで、陰唇間に挟んで使用をするという陰唇間パッド特有の使用状態を未経験者に認知させることができる。また、陰唇間パッドの装着が容易なので、装着に際しての抵抗を低減できる。更に、形状が大陰唇の形を模しただけという単純なものであるため、装着への抵抗感を感覚的に低減することも可能となっている。
【００１６】
（５）  前記一対の襞の保持力は、利き手ではない手の２本の指で当該一対の襞の襞同士を乖離させることが可能な強度となっているものである（４）記載の模型。
【００１７】
本発明によれば、陰唇間パッドの装着は、片手で行うのではなくて、両手を使って装着することを体験させることができる。具体的には、大陰唇を左手の２本の指で開いて陰唇間パッドを侵入させる空間を形成し、そこから陰唇間パッドを挟み込むということを未経験者に認知させることができる。
【００１８】
（６）  前記窪み部の近傍、または、前記スリット部の近傍には、前記指の適正な配置を指示する案内要素を具備するものである（１）から（５）いずれか記載の模型。
【００１９】
本発明によれば、陰唇間パッドを装着する際に、介添えする左手の２本の指の置く適正位置を、未経験者に容易に説明することができる。そして、未経験者も陰唇間パッドを適正な位置に装着することを体験できる。
【００２０】
（７）  前記陰唇間パッドは、着用者の指の挿入が可能な指挿入部を有しており、当該指挿入部に指を挿入して前記陰唇間パッドを前記窪み部、または、前記スリット部に装着した場合には、前記窪み部の深さ、または、前記スリット部の谷間の深さが、前記指挿入部内の指の厚みよりも深いものである（１）から（６）いずれか記載の模型。
【００２１】
本発明によれば、陰唇間パッドを装着するときには、指挿入部に挿入した指が陰唇に包み込まれる状態まで陰唇間に挟み入れることを認知、体感させることができる。これにより、使用時において、浅すぎる装着による脱落などを防止できることになる。
【００２２】
（８）  前記模型は、前記模型の表面の所定の部位から、前記窪み部、または、前記スリット部に向かって、液体を流入することができる液通過手段を備えるものである（１）から（７）いずれか記載の模型。
【００２３】
本発明によれば、模型の表面の所定の部位から、窪み部、または、スリット部に向かって形成された液通過手段により、模型に装着された陰唇間パッドに液体を流入させることができる。これにより、陰唇間パッドにおける液体の吸収経路や吸収能力を認知させることができる。この液通過手段としては、模型に装着された陰唇間パッドに液体を流入するためのものであればよく、好ましい実施形態としては、人体の排出経路と同様な、例えば、模型の窪み部、または、スリット部の反対側に位置する表面から、窪み部やスリット部に向かって貫通する孔であって、スポイド等の液注入具が挿入可能なものであるのが好ましいものとして挙げられる。
【００２４】
（９）  前記模型は、女性の下腹部から大腿部までを模した身体模型の一部となっているものである（１）から（８）いずれか記載の模型。
【００２５】
本発明によれば、生理用ナプキンを貼り付けたショーツを身体模型に着用させることにより、陰唇間パッドが生理用ナプキンと併用するものであることを認知させることができる。また、身体模型は女性の身体の一部（局部周辺）のみを模したものであるため、取り扱いが便利である。
【００２６】
（１０）  前記模型は、前記身体模型から着脱可能となっている請求項９に記載の模型の一部である（１）から（８）いずれか記載の模型。
【００２７】
本発明によれば、女性外性器を模した模型は取り外し可能なので、この模型のみを持ち歩くことができ、携帯性に富む。また、身体模型に組み込まれた場合には、陰唇部分を組み込んだ状態で可動させることができ、未経験者に使用中に動いた時でも陰唇間パッドが脱落しないことを示すことができ、脱落による経血などの体液の漏れの不安を払拭できる。
【００２８】
（１１）  前記模型及び身体模型は、透視可能な程度の透明度を有するものである（９）または（１０）記載の模型。
【００２９】
本発明によれば、模型自体が透明度を有するので、装着状態を様々な角度から視認することができる。尚、透視可能な程度の透明度とは、模型および身体模型の内部を外側から目視で確認できる程度に透明であることであり、模型や身体模型は透視可能であれば着色されていてもよい。
【００３０】
（１２）  前記模型及び身体模型は、経血の流れを示す経血経路表示手段を備えているものである（９）から（１１）いずれか記載の模型。
【００３１】
本発明によれば、陰唇に装着された陰唇間パッドに経血がどのように吸収されるかを未経験者に示すことができる。これにより、陰唇間パッドの吸収能力を理解させることができる。
【００３２】
（１３）  前記経血経路表示手段は、液体流入または光の投影によりなるものである（１２）記載の模型。
【００３３】
本発明によれば、液体を流入した場合には陰唇間パッドの実際の吸水力を未経験者に把握させることができ、一方、光投影とした場合には陰唇間パッド等を濡らさないので再利用することができる。また、特に、光投影とした場合は、液体流入とした場合のように、液体をスポイト等の液注入具などで模型の所定場所に流し込む手間を要しないので、簡便に体験することができる。
【００３４】
（１４）  （８）に記載の模型と、該模型に装着される陰唇間パッドと、液体が入った容器と、該液体を注ぐ液注入具と、をセットで備える説明用具。
【００３５】
本発明によれば、店頭だけでの陰唇間パッドの理解だけでなく、陰唇間パッドを認知していない初潮教育の現場、卸店などへの商談の現場などでも、このセットとなった説明用品を持ち込むだけで、陰裂への陰唇間パッドの使用の疑似体験をさせることができ、且つ、陰唇間パッドにどのように経血が吸収されるかを示すことができる。
【発明の効果】
【００３６】
以上説明したように本発明は、陰唇間に挟み込んで使用する陰唇間パッドの使用方法を示すための模型であって、前記陰唇間パッドの少なくとも一部を介在できる程度の大きさの開口幅を有する窪み部を備えることを特徴とするものである。この模型は女性の外性器を模し、窪み部は陰裂を模したものであって、この窪み部に陰唇間パッドを介在させることにより、陰唇間パッドは生理用ナプキンのようにショーツに貼り付け、ショーツを引き上げることにより肌に当てて使用するのではなく、陰裂に直接当てて使用するものであると未経験者に認知させることができる。これによって、陰唇間パッドとは身体に装着して使用するものだと未経験者に認知できるため、陰唇間パッドを生理用ナプキンの上に置いて着用するなどの誤使用を未然に防ぐことができる。
【００３７】
また、陰唇間に挟み込んで使用する陰唇間パッドの身体への着脱を擬似体験することができる模型であって、前記陰唇間パッドの一部または全部の着脱が可能なスリット部を備えることを特徴とするものである。この模型は大陰唇の形状を模式した一対の襞を備えるものとし、スリット部は、一対の襞の間の谷間からなるものであるので、この細長い切れ目であるスリット部が陰裂を模したものとなり、このスリット部に陰唇間パッドを挟み込んで装着することで陰唇間パッドの使用方法の擬似体験ができると共に、この体験で陰唇間パッドは生理用ナプキンのようにショーツに貼り付け、肌に当てて使用するのではなく、陰裂に直接挿入して使用するものであると未経験者により認知させることができる。
【００３８】
更に、模型に陰唇間パッドを装着させた状態で液体を流入させた場合には、液体が陰唇間パッドに吸収される過程を視認することができるため、実際に経血が吸収される状態を未経験者に把握させることができる。
【発明を実施するための最良の形態】
【００３９】
以下、本発明をより詳しく説明する。
【００４０】
図１は本発明の模型の第１の実施形態を示す正面斜視図であり、図２は図１に示す模型に陰唇間パッドを介在させた状態を示す斜視図である。尚、この図では、判りやすくするために、寸法を適宜調整してある。
【００４１】
模型１０は、女性外性器を模したものであって、図１に示すように、大陰唇の形状を模式した一対の襞１１，１１’とこの一対の襞１１，１１’の下方に形成された窪み部１２とを備える、奥行き長さが１〜２５０ｍｍの範囲でより好ましくは２０〜１５０ｍｍ、幅が１〜２５０ｍｍの範囲でより好ましくは１〜１５０ｍｍ、高さが３〜２００ｍｍの範囲でより好ましくは５〜１５０ｍｍ程度の略球体状のものである。その素材としては、塩化ビニルなどのビニール、アクリル等のプラスチックや紙等が挙げられる。尚、陰唇間パッド２０を装着した状態を様々な角度から視認することできるように透視可能な程度の透明度を有するものがより好ましい。ここで、奥行き長さとは、ＩＩ−ＩＩ方向の寸法を意味し、幅とは、それと直交する方向（Ｉ−Ｉ方向）の寸法を意味する。
【００４２】
窪み部１２の大きさは、奥行きの長さが１〜１５０ｍｍの範囲、好ましくは２０〜７０ｍｍの範囲、幅が１〜５０ｍｍの範囲、好ましくは１〜３０ｍｍの範囲、高さ（深さ）が３〜３０ｍｍの範囲、好ましくは５〜２０ｍｍの範囲であって、その形状としては、Ｉ−Ｉ方向の断面形状が実施形態のような略四角形の他、三角形、逆三角形、半円、楕円等、いずれの形状であってもよい。尚、断面形状が四角形、三角形、逆三角形等といった角部を有するものにあっては、その角部が丸みを呈していても良い。また、長さ方向の奥行き（図中のＩＩ−ＩＩ方向）については、上記断面形状がほぼ一定であってもよいし、また、中間部分から両端の方向に徐々に狭くなるものであってもよい。（ここでは、素材がビニール製であって、凹部が幅２０ｍｍ、高さ１５ｍｍ、長さ４０ｍｍであり、正面視（図１におけるＩ−Ｉ方向）の断面形状が丸みを帯びた略台形状を呈する透明なビニール製の模型としている。）
【００４３】
窪み部１２の最も窪みの深い部位には、陰唇間パッド２０を保持するための固定要素１３が設けられている。この固定要素１３は、摩擦抵抗の高い素材、具体的にはエラストマー特性が得られるようなゴム成分、アンチスリップ剤、接着剤を塗布した構造、あるいは摩擦抵抗の高い構造、具体的にはマジックテープのフック構造を採用することができる。
【００４４】
また、図示していないが、窪み部１２の近傍には、窪み部１２を挟んで、窪み部１２の長さ方向（図１におけるＩＩ−ＩＩ方向）の奥行きに沿う形で手の２本の指の輪郭が線で描かれている手または指のイミテーションの案内要素を設けてもよい。この案内要素を設けることによって、この案内要素に手を添えて窪み部１２の開口幅を広げて、陰唇間パッド２０を窪み部１２に嵌め込むことで、陰唇間パッド２０の装着方法を認知させることができる。
【００４５】
更に、図示していないが、模型１０の窪み部１２の反対側の外周面から窪み部１２に向かって液通過手段（例えば貫通孔）を設けてもよい。この液通過手段を設けることで、後述する経血の流れ経路について認知させることができ、陰唇間パッド２０の性能を理解させるのに有効である。
【００４６】
図２は、図１の模型１０に陰唇間パッド２０を装着した状態を示すもので、陰唇間パッド２０のトップシート２０ａ面（身体に装着した際に身体面に対向する面）の一部が模型１０の窪み部１２に設けられた固定要素１３によって固定されたものである。
【００４７】
このように、女性外性器を模した模型１０を使用して陰唇間パッド２０を模型１０の窪み部１２（陰裂を模したもの）に取り付けて固定することによって、陰唇間パッド２０は外性器の陰裂に装着するものであることを未経験者に認知させることができることになる。
【００４８】
ここで、陰唇間パッド２０は、図３に示すように、液透過性のトップシート２０ａと液不透過性のバックシート２０ｂとこれらシート間に内包された吸収性コア２０ｃとからなる略楕円形状の平板状のものを、幅方向のほぼ中心線上でトップシート２０ａを表面側（身体接触面側）にしてＵ字状に折り曲げ、バックシート２０ｂの裏面側（身体非接触面側）に指を挿入するための指挿入部２０ｄが形成した正面視断面形状が略Ｕ字状の吸収性物品であり、女性の陰唇に挟み込んで経血を直接吸収するようにする。本実施形態においては、利用による破損を防ぐために、着用にあたっては、表面を身体に接するにして、この陰唇間パッド２０には、全面を覆った透明、もしくは半透明のビニール製やプラスチック製などのカバー材が備えられていてもよい。また、陰唇間パッド２０を型取った紙やビニール製、プラスチック製などの擬似陰唇間パッドであってもよい。更には、指挿入部２０ｄ内には耐久性を高めるために、紙やビニール製、プラスチック製などのシートが備えられていてもよい。
【００４９】
次に、本発明に模型の第２実施形態について説明する。図４は、本発明の模型の第２の実施形態を示す正面斜視図であり、図５は、図４に示す第２の実施形態の平面図であり、図６は、図４に示す模型に陰唇間パッドを挟み込む手順を示す模式図である。尚、以下の実施形態では第１の実施形態の模型と同一の構成要素には同一符号を付して、その重複する説明を省略する。また、判りやすくするために、寸法を適宜調整してある。
【００５０】
第２の実施形態の模型１０Ａは、図１に示す第一の実施形態の模型１０の窪み部１２をスリット部１４としたものである。そして、このスリット部１４に陰唇間パッド２０を挟み込む構造となっている。すなわち、この模型１０Ａは、後述するように、陰唇間パッド２０を装着する際に、模型１０Ａの一対の襞１１，１１’を指で乖離させて、陰唇間パッド２０をスリット部１４内に挿入し、一対の襞１１，１１’を乖離させている指を離すと元の状態にほぼ戻り陰唇間パッド２０を保持できる構造（図６参照）としている。尚、このスリット部１４は、女性外性器の陰唇を模したものである。
【００５１】
この模型１０Ａは、図４に示すように、大陰唇の形状を模した一対の襞１１，１１’と該一対の襞１１，１１’の下方に形成されたスリット部１４を備える、長さが１〜２５０ｍｍの範囲でより好ましくは２０〜１５０ｍｍ、幅が１〜２５０ｍｍの範囲でより好ましくは１〜１５０ｍｍ、高さが３〜２００ｍｍの範囲でより好ましくは５〜１５０ｍｍ程度の略球体状のものである。このように、本物同様の形状や寸法にすることによって、陰唇間パッド２０の一部が挟み込まれる状態を示しやすくなる。更に、その素材は、塩化ビニルなどによるビニールやアクリル等のプラスチック、反発弾力性を有するウレタンフォーム、合成樹脂の発泡体や発泡ウレタン、シリコン、ゴム等が挙げられる。特に、模型１０Ａの一対の襞１１，１１’を指で乖離させた後の復元性の点から、反発弾力性を有するウレタンフォーム、合成樹脂の発泡体や発泡ウレタン、シリコン、ゴム等がより好ましい。（ここでは、反発弾性力を有するウレタンフォームを採用している。）
【００５２】
スリット部１４の大きさは、幅が１〜５０ｍｍの範囲、好ましくは１〜３０ｍｍの範囲、高さ（深さ）が３〜３０ｍｍの範囲、好ましくは５〜２０ｍｍの範囲であり、スリット部１４の全周長は、８〜１２０ｍｍの範囲、好ましくは２５〜７０ｍｍの範囲である。尚、スリット部１４の高さ（深さ）は、陰唇間パッド２０の指挿入部２０ｄに挿入された指の厚みよりも深く形成されているのが好ましい。（ここでは、スリット部１４は、幅が約３ｍｍ、高さ（深さ）が約１５ｍｍ、長さが約５０ｍｍ、断面の全周長が約４０ｍｍとしている。）
【００５３】
また、陰唇間パッド２０をスリット部１４に挟み込んで保持するための保持力（陰唇間パッド２０を挟む力）としては、陰唇間パッド２０をスリット部１４に挟んだ状態で、陰唇間パッド２０に加わる圧力が、１〜５００ｇ／ｃｍ２の範囲、好ましくは１０〜１００ｇ／ｃｍ２の範囲であるのが好ましい。保持力が１ｇ／ｃｍ２より小さいと模型１０Ａに加わった衝撃で容易に陰唇間パッド２０が外れてしまう危険性があり、一方５００ｇ／ｃｍ２より大きいと陰唇間パッド２０が損傷してしまうおそれがあるためである。尚、陰唇間パッド２０に加わる圧力の測定の方法としては、株式会社エイエムアイ社製の衣服圧測定器（型式：ＡＭＩ  ３０３７）により、一対の襞１１，１１’と陰唇間パッド２０との間に端子を挿入して、その時に加わる圧力を測定することで行うことができる。
【００５４】
更に、模型１０Ａの上方の略中央位置（図５の平面視略中心部）には、図４および図５に示すように、外周面からスリット部１４に亘る液通過手段１６が形成されている。尚、この液通過手段１６は、模型１０に装着された陰唇間パッド２０について、経血の吸収経路を説明するために、陰唇間パッド２０に経血を模した液体を流入するためのスポイド等の液注入具を挿入するためのものであり、本実施例では貫通孔となっている。
【００５５】
尚、経血の吸収経路の説明を特に要しない場合には、液通過手段（貫通孔）１６を設けないで、図示していないが、スリット部１４のもっとも深い位置（スリット部１４の頂部１４ａの中央部分）に更に小さな凹部が設けてもよい。このように小さな凹部を設けることで、この小さな凹部が膣口の位置を表すものとなり、陰唇間パッド２０が膣口の位置に対しどのような位置関係で接しているかをより一層理解させ易くすることが可能となる。
【００５６】
また、スリット部１４の近傍には、スリット部１４を挟んでスリット部１４の一方の先端部分からスリット部１４に沿って、手の２本の指の輪郭が線で描かれた指のイミテーションの案内要素１５，１５’が設けられている。
【００５７】
そして、未経験者は、図６に示すようにして模型１０Ａのスリット部１４に陰唇間パッド２０を挟み込んで装着させることで、陰唇間パッド２０の使用方法を疑似体験することができる。
【００５８】
図６は、模型１０Ａのスリット部１４に陰唇間パッド２０を挟み込む工程の手順を示す模式図であり、（ａ）に示すように、利き手でない手２１の２本の指（一般的には人指し指と中指）を模型１０Ａに描かれた各々の案内要素１５，１５’に添え、模型１０Ａのスリット部１４が下側になるようにして持ち、また、利き手２２の中指を陰唇間パッド２０の指挿入部２０ｄに挿入して持ち、利き手でない手２１に持った模型１０Ａのスリット部１４の下方へ陰唇間パッド２０のトップシート２０ａ面がスリット部１４側に向くようにして誘導する。次いで、（ｂ）に示すように、利き手でない手２１に持った模型１０Ａの一対の襞１１，１１’同士を２本の指で乖離させ、利き手２２に持った陰唇間パッド２０を下方からスリット部１４内へ挟み込む。尚、陰唇間パッド２０を挟み込む際、指挿入部２０ｄに挿入した指がスリット部１４の頂部１４ａに当たるまで挟み込むことで、陰唇間パッド２０が陰唇に包み込まれる状態まで挟み入れることを認知、体感させることができる。そして、（ｃ）に示すように、スリット部１４内に陰唇間パッド２０が挟み込まれて装着されることになる。
【００５９】
また、本実施形態の模型は、女性の下腹部から大腿部までを模した身体模型の一部となっていてもよい。図７は、女性の下腹部から大腿部までを模した身体模型３０に図４に示す模型１０Ａが組み込まれた状態を示す正面図である。
【００６０】
身体模型３０は、図７に示すように、下腹部３１と股間部３２と大腿部３３，３３’とからなり、身体模型３０の股間部３２の外性器部分に相当する位置に女性外性器を模した模型１０Ａが組み込まれて一体化されたものである。
【００６１】
この身体模型３０は、塩化ビニル等のビニールやアクリル等の任意の合成樹脂から成型された中空の成型体あるいは充填された成型体である。そして、身体模型３０と模型１０Ａとは、それぞれが同じ素材もしくは異なった素材で構成されていてもよい。
【００６２】
また、身体模型３０は女性の外性器を模した模型１０Ａが組み込まれて一体化されるものとしているが、それぞれが別々の模型であって、接合して一体化されていてもよい。すなわち、身体模型３０の股間部３２に模型１０Ａを狭持可能な凹部を設けて、この凹部に模型１０Ａが備えられているものであってもよい。この時の身体模型３０に形成される凹部は模型１０Ａの最大幅よりも小さくすることによって、模型１０Ａは簡単に着脱可能となるため便利である。この際、模型１０Ａは身体模型３０の凹部から露出していても、また、露出していなくても構わないが、陰唇間パッド２０の着脱を理解し易くするためには、露出していた方が好ましい。
【００６３】
身体模型３０および模型１０Ａは、透視可能な程度の透明度を有する成型物であることがより好ましい。これによって、陰唇間パッド２０の装着の状態を様々な角度から視認することができる。
【００６４】
加えて、身体模型３０の一部である大腿部３３，３３’は可動可能であることが好ましい。大腿部３３，３３’が前後に可動可能であることにより、歩行状態を再現できる。具体的には図８の（ａ）や（ｂ）に示すように、陰唇間パッド２０を身体模型３０に組み込まれた模型１０Ａに挟み込んで、大腿部３３，３３’を前後に可動することで、歩行状態を再現できることになる。そして、この大腿部３３，３３’を可動させた歩行状態でも陰唇間パッド２０がスリット部１４（女性外性器の陰裂に該当）から脱落しないことが視認されることで、未経験者が感じる「簡単に外れてしまうのではないか」という不安を払拭できることになる。尚、図８の（ａ）は右大腿部３３’を前方（図中の左方向）に動かした状態を示す図であり、（ｂ）は左大腿部３３を前方（図中の左方向）に動かした状態を示す図である。
【００６５】
また、女性外性器を模した模型１０Ａが一体化された身体模型３０には、経血の流れを示す経血経路表示手段を備えている。この経血経路表示手段としては、例えば、図９に示すような液体流入や、図１０に示すような光の投影等が適用される。尚、図９は、陰唇間パッドへの経血の流れを液体の流入した状態で示す図で、（ａ）は正面斜視図であり、（ｂ）は側面図である。また、図１０は、陰唇間パッドへの経血の流れを光の投影した状態で示す図で、（ａ）は正面斜視図であり、（ｂ）は側面図である。
【００６６】
経血経路表示手段として液体流入によるものは、図９に示すように、模型１０Ａに陰唇間パッド２０を挟み込んで装着した身体模型３０に、経血を模した液体４１を入れたスポイド等の細長な液注入具（ここではスポイト）４０を身体模型３０の上方から模型１０Ａの液通過手段（ここでは貫通孔）１６に挿入して、液通過手段（貫通孔）１６から液体４１を陰唇間パッド２０に流入するものである。この流入された液体４１は陰唇間パッド２０の表面を広がりながら吸収性コア２０ｃ（図３参照）に吸収される。この際に使用される液体４１は経血を模したものであるので、経血の色に相当する赤色を呈しているため、液体４１の吸収過程が目視で確認できることになる。尚、液体４１は経血を模したものでなく、無色または赤、青、ピンク等に着色した水等の液体であってもよいが、経血は所定の粘性を有しているので、経血を模して粘性等を調整した液体であるのがより好ましい。また、着色されている方が目視し易いのでより好ましい。
【００６７】
身体模型３０は、液注入具（スポイト）４０をセットする際の取り扱いの作業性から、身体模型３０内に手が入れられるように中空体であるのが好ましいが、充填体であってもよい。尚、充填体である場合には、液注入具（スポイト）４０を挿入するために陰唇間パッド２０まで貫通する孔を設けるといったような案内手段を設けることが必要となる等で、中空体である方が好ましい。また、液体４１の流れが目視できるように内部が透視可能な程度の透明度を有する成型体であるのが好ましい。
【００６８】
また、経血経路表示手段として光の投影によるものは、図１０に示すように、模型１０Ａに陰唇間パッド２０を挟み込んで装着した身体模型３０に、上方から線条の光（図中の矢印）を模型１０Ａの液通過手段（貫通孔）１６の先端部１６ａに向けて投影するものである。これによって、経血の流れ経路を表示されることになる。この光は透明であっても良いが、赤、青、ピンク等に着色された光である方が目視し易いので好ましい。
【００６９】
また、身体模型３０には、図１１に示すようにショーツ４５、生理用ナプキン４６等を装着させてもよい。すなわち、陰唇間パッド２０を模型１０に装着させた身体模型３０に、ショーツ４５の内表面に生理用ナプキン４６が貼られたショーツ４５を装着させたものとして、生理用ナプキンとの併用状態を示すようにしてもよい。このショーツ４５としては、その形状は特に限定されないが、内表面に貼られた生理用ナプキン４６や模型１０Ａに装着された陰唇間パッド２０が透視可能となるような厚みのものであるが好ましい。
【００７０】
この身体模型３０は中空体、充填体いずれであってもよい。また、陰唇間パッド２０、生理用ナプキン４６、ショーツ４５の位置関係が様々な方向から目視できるように、内部が透視可能な程度の透明度を有する成型体であることがより好ましい。
【００７１】
このように、陰唇間パッド２０が装着された身体模型３０にショーツ４５や生理用ナプキン４６を着用させてディスプレイすることで、陰唇間パッド２０と生理用ナプキン４６との位置関係が目視によって確認できるので、陰唇間パッド２０は陰唇に直接装着して使用するものであることを未経験者により具体的に認知させることができることになる。
【００７２】
尚、本発明の模型を用いたディスプレイの方法としては、上記の他に、図１２に示すように、女性外性器を模した模型１０と一緒に生理用ナプキン４６をイメージする言葉や絵、あるいは生理用ナプキン４６の実物が備えられているものであってもよい。すなわち、図１２の（ａ）に示すように、商品の使用方法や特徴が記載されたポップ４８に陰唇間パッド２０を装着した模型１０と生理用ナプキン４６との実物を一緒にして紐等で吊り下げる。あるいは、（ｂ）のように、商品の使用方法や特徴が記載されたポップ４８に陰唇間パッド２０を装着した模型１０を紐等で吊り下げ、更に、生理用ナプキン４６を型取った形状のものに説明が記載された（ここでは「ナプキンと一緒にご使用ください」）ポップ４９を紐等で吊り下げるようにしてもよい。また、図示していないが、陰唇間パッド２０を装着した模型１０、生理用ナプキン４６の実物あるいはこれをイメージする言葉や絵が書かれたポップ４９、製品の使用方法や特徴等が書かれたポップ４８、４９を一つのビニール製やプラスチック製のカバーで包装したものであってもよい。
【００７３】
これによって、陰唇間パッド２０は陰唇に直接装着するものであり、生理用ナプキン４６とは別の箇所に着用するものであること、また、生理用ナプキンと一緒に使用するものであること等を認知させることができる。
【００７４】
次に、説明用具について説明する。図１３は、本発明に係る説明用具一式を示す図であり、図１４は、図１３に示す説明用具の使用手順を示す模式図である。
【００７５】
陰唇間パッド２０の使用方法や経血の流れ経路を説明するための用具として、図１３に示すように、本発明の女性外性器を模した模型１０Ａと、陰唇間パッド２０と、液体４１が収容された容器４２と、液体４１を容器４２から吸い取って注ぐための液注入具（ここではスポイト）４０とがセットとなって、例えばビニール袋等に包装されたキットである。模型１０Ａは前述のように陰唇を模したスリット部１４（図４参照）を有し、更に、上部には液通過手段（貫通孔）１６（図４、図５参照）が設けられものであって、この液通過手段（貫通孔）１６中に液体４１を入れた液注入具（スポイト）４０を差込むことができる構造になっている。これによって、陰唇を模したスリット部１４に陰唇間パッド２０を挟み込み、液注入具（スポイト）４０から液体４１を陰唇間パッド２０へ注ぎ込むことができる（図１４参照）。また、陰唇間パッド２０はカバー材で包装されていてもよいが、陰唇間パッド２０がカバー材から露出するようにカバー材に穴が設けられている、もしくは陰唇間パッド２０を取り出せるようにカバー材を開封できるような工夫を要する。
【００７６】
この説明用具は、図１４に示すようにして用いられる。先ず、模型１０Ａに陰唇間パッド２０を前述の図６に示す手順に従って装着する。次いで、図１４の（ａ）に示すように、液体４１が収容された容器４２に液注入具（スポイト）４０を入れて、図（ｂ）に示すように、容器４２中の液体４１を液注入具（スポイト）４０に取り込む。次いで、（ｃ）に示すように、液体４１を取り込んだ液注入具（スポイト）４０を陰唇間パッド２０が装着された模型１０Ａの液通過手段（貫通孔）１６内に挿入し、（ｄ）に示すように、液体４１を液注入具（スポイト）４０から押し出して、陰唇間パッド２０に流入させる。これによって、液体４１が陰唇間パッド２０の表面に広がりながら内部に吸収される様子が目視できる。
【００７７】
また、この説明用品は、店頭だけでの陰唇間パッド２０の理解だけでなく、陰唇間パッド２０を認知していない初潮教育の現場、卸店などへの商談の現場などでも、このセットとなった説明用品を持ち込んで、陰裂への陰唇間パッド２０の使用の疑似体験をさせることができ、陰唇間パッド２０にどのように経血が吸収されるかを示すことができる。
【００７８】
更に、これらの現象をビデオで撮影し、それを店頭やＷＥＢ上で放送して陰唇間パッド２０を理解させてもよい。
【００７９】
以上の様に本発明に係る模型およびこの模型を用いた説明用具に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【産業上の利用可能性】
【００８０】
本発明は、陰唇間パッドの使用方法や特徴を未経験者に認知させるためのディスプレイ用品や陰唇間パッドの装着の擬似体験として使用することができる。
【図面の簡単な説明】
【００８１】
【図１】本発明に係る模型の第１の実施形態を示す正面斜視図である。
【図２】図１に示す第１の実施形態に陰唇間パッドを取付けた状態を示す斜視図である。
【図３】陰唇間パッドを示す斜視図である。
【図４】本発明に係る模型の第２の実施形態を示す正面斜視図である。
【図５】図１に示す第２の実施形態を示す平面図である。
【図６】第２の実施形態の模型に陰唇間パッドを挟み込む手順を示す模式図である。
【図７】第２の実施形態の模型が組み込まれた身体模型を示す正面図である。
【図８】図７に示す身体模型の大腿部が可動となっていることを示す図で、（ａ）は右大腿部を前方に動かした状態を示す図であり、（ｂ）は左大腿部を前方に動かした状態を示す図である。
【図９】陰唇間パッドへの経血の流れを液体の流入した状態で示す図で、（ａ）は正面斜視図であり、（ｂ）は側面図である。
【図１０】陰唇間パッドへの経血の流れを光の投影した状態で示す図で、（ａ）は正面斜視図であり、（ｂ）は側面図である。
【図１１】陰唇間パッドが生理用ナプキンと併用された状態を示す図で、（ａ）は正面斜視図であり、（ｂ）は側面図である。
【図１２】本発明に係る模型をディスプレイした状態を示す図で、（ａ）は生理用ナプキンの実物と一緒にディスプレイした状態を示す図であり、（ｂ）模擬生理用ナプキンと一緒にディスプレイした状態を示す図である。
【図１３】本発明に係る説明用具一式を示す図である。
【図１４】図１３に示す説明用具の使用手順を示す模式図である。
【符号の説明】
【００８２】
１０、１０Ａ  模型
１１、１１’  襞
１２  窪み部
１３  固定要素
１４  スリット部
１５  案内要素
１６  液通過手段（貫通孔）
２０  陰唇間パッド
２０ｄ  指挿入部
２１  利き手でない手（左手）
３０  身体模型
３１  下腹部
３３、３３’  大腿部
４０  液注入具（スポイト）
４１  液体
４２  容器
【図１】
0004689160.tif 000002
【図２】
0004689160.tif 000003
【図３】
0004689160.tif 000004
【図４】
0004689160.tif 000005
【図５】
0004689160.tif 000006
【図６】
0004689160.tif 000007
【図７】
0004689160.tif 000008
【図８】
0004689160.tif 000009
【図９】
0004689160.tif 000010
【図１０】
0004689160.tif 000011
【図１１】
0004689160.tif 000012
【図１２】
0004689160.tif 000013
【図１３】
0004689160.tif 000014
【図１４】
0004689160.tif 000015